(57)【要約】【課題】  簡素な構成によりリールユニットの振動を有効に防止できるスロットマシンを提供する。【解決手段】  リールユニット４に、リールケース２１と、リールケース２１に収容されたリール２２と、リール２２を回転駆動するステッパモータ２４とを備える。リールケース２１の底部２１ａの脚部３０、３１には、板状の緩衝部材３３を取り付ける。リールユニット４は、棚板３上に載置され、ネジ止めされる。これにより、緩衝部材３３は、リールユニット４と棚板３の間に介装され、ステッパモータ２４によるリール２２の回転の開始及び停止に伴う衝撃を吸収し、リールユニット４の振動を抑制する。【選択図】      図４
0003101822.tif 000002
【実用新案登録請求の範囲】
【請求項１】
筐体と、
前記筐体内に取り付けられた棚板と、
前記棚板上に載置されるリール保持手段と、
前記リール保持手段により保持されるリールと、
前記リールを回転駆動する駆動手段と、
を備えたスロットマシンにおいて、
前記リール保持手段と前記棚板との間に緩衝部材を備えたスロットマシン。
【請求項２】
前記緩衝部材は、板状の部材である請求項１に記載のスロットマシン。
【請求項３】
前記緩衝部材は、弾性部材である請求項１又は請求項２に記載のスロットマシン。
【請求項４】
前記緩衝部材は、ゴムである請求項３に記載のスロットマシン。
【請求項５】
前記緩衝部材は、前記リール保持手段の前記棚板と対向する部分に取り付けられている請求項１から請求項４のいずれか一つに記載のスロットマシン。
【請求項６】
前記リール保持手段は、前記棚板にネジ止めされる請求項１から請求項５のいずれか一つに記載のスロットマシン。
【請求項７】
前記リール保持手段は、リールを収容するリールケースであり、前記緩衝部材は、前記リールケースの底部に取り付けられている請求項１から請求項６のいずれか一つに記載のスロットマシン。
【請求項８】
前記リールケースは、底部にリブ状の脚部を備え、前記緩衝部材は、前記脚部に取り付けられている請求項７に記載のスロットマシン。
【請求項９】
前記リールケースは、前記棚板上に載置されたときに前記棚板の前端縁上に配置されるフランジ部を備え、前記フランジ部において前記棚板にネジ止めされる請求項７又は請求項８に記載のスロットマシン。
【請求項１０】
前記リールと前記リール保持手段と前記駆動手段は、一体のユニットになっている請求項１から請求項９のいずれか一つに記載のスロットマシン。
【考案の詳細な説明】
【技術分野】
【０００１】
本考案は、スロットマシン（回胴式遊技機）に関し、特に、リール（回胴）の回転開始及び停止時における振動を有効に防止するための構造に関する。
【背景技術】
【０００２】
スロットマシンにおいては、外周に複数の図柄が描かれたリールの回転の始動及び停止により遊技が進行する。この場合、リールを含むユニット（リールユニット）は、修理や取り替え等の便宜上、スロットマシンの筐体内に設けた棚板の上に、ネジ止め等の簡素な固定法で、着脱可能に固定されるのが一般である。
【０００３】
しかしながら、リールにはある程度の重量があり、また複数のリールが別個に回転動作するため、このような簡素な固定法では、リールの回転の始動及び停止時の衝撃により、リールユニットが振動してしまうことがある。このため、例えば特開２００３−１１７０７６号公報、特開２００２−０１１１４８号公報、特開平８−９８９２６号公報等には、リールを回転させるモータの動作をコンピュータ制御して、振動を抑制させる方法が提案されている。
【特許文献１】特開２００３−１１７０７６号公報
【特許文献２】特開２００２−０１１１４８号公報
【特許文献３】特開平８−９８９２６号公報
【考案の開示】
【考案が解決しようとする課題】
【０００４】
このように、従来のスロットマシンでは、リールユニットの振動を抑制するために、リールの回転動作自体を制御していたので、複雑な制御が必要となっていた。したがって、スロットマシンにおいては、頻繁に繰り返されるリールの始動及び停止に伴うリールユニットの振動を、より簡単かつ確実に抑制できる方法が求められていた。
【０００５】
本考案は、このような問題点に着目してなされたもので、簡素な構成によりリールユニットの振動を有効に防止できるスロットマシンを提供することを目的とする。
【課題を解決するための手段】
【０００６】
本考案では、筐体と、前記筐体内に取り付けられた棚板と、前記棚板上に載置されるリール保持手段と、前記リール保持手段により保持されるリールと、前記リールを回転駆動する駆動手段とを備えたスロットマシンにおいて、前記リール保持手段と前記棚板の間に緩衝部材を備えた。
【０００７】
前記緩衝部材は、板状の部材であってもよい。
前記緩衝部材は、弾性部材であってもよい。
前記緩衝部材は、ゴムであってもよい。
【０００８】
前記緩衝部材は、前記リール保持手段の前記棚板と対向する部分に取り付けられていてもよい。
前記リール保持手段は、前記棚板にネジ止めされていてもよい。
【０００９】
前記リール保持手段は、リールを収容するリールケースであり、前記緩衝部材は、前記リールケースの底部に取り付けられていてもよい。
前記リールケースは、底部にリブ状の脚部を備え、前記緩衝部材は、前記脚部に取り付けられていてもよい。
【００１０】
前記リールケースは、前記棚板上に載置されたときに前記棚板の前端縁上に配置されるフランジ部を備え、前記フランジ部において前記棚板にネジ止めされてもよい。
前記リールと、前記リール保持手段と、前記駆動手段とは、一体のユニットになっていてもよい。
【考案の効果】
【００１１】
本考案によれば、リール（例えばリール２２）を保持するリール保持手段（例えばリールケース２１）と棚板（例えば棚板３）との間に緩衝部材（例えば緩衝部材３３）を備えたので、リールの回転の開始及び停止時における衝撃は、緩衝部材によって適切に吸収される。このため、例えばリール及びリール保持手段が一体となったユニット（例えばリールユニット４）を棚板にネジ止め等の簡素な固定方法で固定したとしても、リールの始動及び停止時に、このユニットが不適切に振動してしまうことはない。したがって、リールを含むユニットの振動抑制を、リール動作の複雑な制御を行うことなく、簡素な構成により確実に、低コストで達成できる。また、振動抑制のための制御によるリール動作の制限がなくなるので、リール動作に自由度が高まり、遊技の興趣が高められる。
【００１２】
また、緩衝部材を板状のものとすれば、リール保持手段を棚板上に載置するときに邪魔にならず、またリールの高さが大幅に変わってしまうことはない。したがって、本考案は、従来品のスロットマシンに対して、そのまま簡単に適用できる。
【００１３】
また、緩衝部材をリール保持手段に取り付けるようにすれば、リール保持手段を棚板上に設置するだけで、自動的に適切な位置に緩衝部材が配置されるようにでき、緩衝部材の取り付け作業が容易になる。
【考案を実施するための最良の形態】
【００１４】
以下、添付図面にしたがって本考案の実施形態を説明する。
図１、図２に示されるように、スロットマシン１は、前面に開口を有する筐体２を備えている。図では省略されているが、筐体２は、前面開口に、開閉可能なカバーを備えている。
【００１５】
筐体２の略中段には、棚板３が固定されている。この棚板３は、リールユニット４が載置されるためのもので、棚板３の垂直な前端縁３ａ及びこの前端縁３ａに固定された金属板５には、リールユニット４がねじ止めされるためのネジ孔６が形成されている。
【００１６】
リールユニット４は、詳しくは後述するように、リールケース２１内に３個のリール２２を回動可能に収納して形成されるものである（図３、図４参照）。筐体２の前面がカバーで閉止された場合、リールユニット４のリール２２は、その一部が、カバーに形成された覗き窓から見えるようにされる。スロットマシン１による遊技は、この覗き窓から見えるリール２２の図柄の組み合わせに基づいて進行する。
【００１７】
リールユニット４の上方には、主制御装置７が配置され、筐体２の背面パネル２ａ上に固定されている。主制御装置７は、スロットマシン１による遊技全体を制御するもので、コード８、９を介して、リールユニット４上に載置された中継基板１０と接続されている。
【００１８】
棚板３の下方には、メダルホッパー１１、補助メダル収容箱１２、電源ユニット１３及びスピーカ１４が配置される。メダルホッパー１１は、遊技の景品であるメダルを排出するための装置で、筐体２の底面パネル２ｂ上に設置されている。補助メダル収容箱１２は、メダルホッパー１１から溢れ出た余剰のメダルが流れ込む箱で、メダルホッパー１１の側方に位置するように、底面パネル２ｂ上に置かれている。電源ユニット１３は、外部からの交流電圧を直流電圧に変換するもので、コード１５を介して主制御装置７に、またコード１６を介してメダルホッパー１１に、それぞれ接続されている。スピーカ１４は、筐体２の背面パネル２ａ上に取り付けられ、コード１４ａを介して中継基板１０と接続されている。
【００１９】
図３、図４には、リールユニット４を詳細に示す。図示されるように、リールユニット４は、前面に開口を有するリールケース２１を備えている。リールケース２１内には、平行に並ぶ３枚の支持板２３が収容され、ネジ止めにより固定されている。各支持板２３には、それぞれ、リール２２を駆動するためのステップモータ２４と、リール２２を裏側から照射するためのランプ２５が固定されている。
【００２０】
３個のリール２２は、遊技に用いられる複数の図柄が外周上に描かれた円筒状の部材であり、それぞれ対応するステップモータ２４のモータ軸に固定されることにより、対応する支持板２３に回転駆動可能に支持され、リールケース２１内に並列に並んで配置される。この場合、各リール２２の前方を向いた部分は、リールケース２１の前面開口から突出した状態となり、その一部が、覗き窓（図示せず）の背後に配置され、覗き窓から見えるようになっている。
【００２１】
リールケース２１の前面開口の下端には、下方に延び出すフランジ部２６が設けられる。このフランジ部２６は、リールユニット４がスロットマシン１の棚板３上に置かれたときに、棚板３の前端縁３ａの前方に配置される部分で、棚板３のネジ孔６に対応する位置に、開口２７が形成されている。これにより、リールユニット４は、開口２７を貫通してネジ孔６にねじ込まれたネジ２８によって、棚板３に固定される。
【００２２】
図５にも示すように、リールケース２１の底部２１ａには、４本の脚部２９、３０、３１、３２が設けられている。これらの脚部２９〜３２は、リールケース２１の底部２１ａ上を前後方向に平行に延びるリブ状の部分であり、リールケース２１が棚板３上に設置されたときに、棚板３の上面と対向する。これら脚部２９〜３２のうち、中央の２本の脚部３０、３１には、板状の緩衝部材３３が取り付けられる。この場合、緩衝部材３３は、脚部３０、３１と棚板３上面との間に挟み込まれるように、脚部３０、３１の棚板３と対向する面に、例えば両面テープを用いて張り付けられる。図６にも示すように、緩衝部材３３は、扁平で細長い部材であり、脚部３０、３１の略全長にわたって取り付けられている。緩衝部材３３は、例えばゴム等の弾性部材からなるもので、リールユニット４と棚板３との間にあって、リールユニット４のリール２２の始動時及び停止時における振動を吸収する。
【００２３】
このような構成により、本実施形態のスロットマシン１では、主制御装置７により制御されたステッパモータ２４の駆動により、リール２２が回転駆動される。遊技中、遊技者によるメダル投入やボタンによる指示等に基づいて、このリール２２の回転の始動及び停止がなされる。この場合、リール２２の回転の始動及び停止に伴う衝撃は、リールユニット４の底部２１ａに設けられた緩衝部材３３により吸収されるので、リールユニット４の振動は適切に抑制される。したがって、リールユニット４を棚板３にネジ止めだけで簡易に固定したとしても、遊技中にリールユニット４が不適切に振動してしまうことがなく、リールの振動によって遊技の興趣がそがれてしまうことはない。
【００２４】
図８から図９には、本発明の他の実施形態を示す。図７の実施形態では、リールケース２１の両側の脚部２９、３２に、緩衝部材３４を取り付けている。また、図８の実施形態では、脚部２９〜３２の総てに、緩衝部材３３、３４を取り付けている。さらに、図９の実施形態では、短く分割された複数枚の板状の緩衝部材３５を、脚部２９〜３２に取り付けている。このように、複数の短い緩衝部材３５を用いることにより、全体として少ない量の緩衝部材３５を用いて、リールケース２１の底部２１ａの広い範囲に、緩衝部材３５を配置できる。
【００２５】
これら図７から図９の実施形態からも分かるように、緩衝部材を設ける位置は、特に限定されるものではなく、棚板３とリールユニット４の間に挟み込まれて、リールユニット４の振動を吸収し得る位置であれば、どこに設けてもよい。例えば、緩衝部材は、棚板３に取り付けるようにしてもよいし、リールユニット４と棚板３のいずれにも取り付けずにこれらの間に介装するだけにしてもよい。また、緩衝部材の大きさや数も適宜選択しうる。
【００２６】
また、上記各実施形態では、緩衝部材として板状のゴムを用いたが、緩衝部材としてどのようなものを用いるかは、リールユニット４の振動を適切に吸収できるものであれば、特に限定されない。例えば、緩衝部材としてバネを用いることもできる。
【００２７】
さらに、本発明が適用される筐体２、棚板３、リールユニット４の形態も、特に限定されるものではない。例えば、リールケースは、４本とは異なる数の脚部を持つものでもよいし、異なる形状の脚部を持つものでもよいし、脚部を持たないものでもよい。
【図面の簡単な説明】
【００２８】
【図１】本考案の実施形態におけるスロットマシンの全体構成を示す正面図である。
【図２】同じくスロットマシンの全体構成を示す分解斜視図である。
【図３】同じくリールユニットを正面側から見た斜視図である。
【図４】同じくリールユニットを底面側から見た斜視図である。
【図５】同じくリールケースの断面図である。
【図６】同じく緩衝部材を示す斜視図である。
【図７】本発明の他の実施形態におけるリールケースを示す底面図である。
【図８】本発明のさらに他の実施形態におけるリールケースを示す底面図である。
【図９】本発明のさらに他の実施形態におけるリールケースを示す底面図である。
【符号の説明】
【００２９】
１  スロットマシン
２  筐体
３  棚板
４  リールユニット
６  ネジ孔
２１  リールケース
２２  リール
２４  ステップモータ
２８  ネジ
２９  脚部
３０  脚部
３１  脚部
３２  脚部
３３  緩衝部材
３４  緩衝部材
３５  緩衝部材
【図１】
0003101822.tif 000003
【図２】
0003101822.tif 000004
【図３】
0003101822.tif 000005
【図４】
0003101822.tif 000006
【図５】
0003101822.tif 000007
【図６】
0003101822.tif 000008
【図７】
0003101822.tif 000009
【図８】
0003101822.tif 000010
【図９】
0003101822.tif 000011